(57)【要約】【課題】第１の会員記録媒体又は第２の会員記録媒体のいずれか一方の媒体を会員カードとして使用するための会員登録を既に行っている会員に、面倒な手続き行わせることなく、他方の媒体を会員カードとして使用可能する。【解決手段】会員情報を管理する会員管理装置と、各遊技台に対応して設けられた各台装置とを備え、各台装置は、第１の会員記録媒体から読取った第１の会員識別情報と、会員の第２の会員記録媒体から読取った第２の会員識別情報とを会員管理装置へ送信し、会員管理装置は、会員情報と第１及び／又は第２の会員識別情報とを関連付けて記憶する記憶手段を備え、各台装置から受信した第１の会員識別情報に関連付けられている会員情報に、受信した第２の会員識別情報が関連付けられて記憶されていなかった場合、会員情報に第２の会員識別情報を関連付けて記憶手段に登録する会員管理システムとした。【選択図】図３
2010201080.tif 000002
【特許請求の範囲】
【請求項１】
遊技店に予め会員登録した各会員に関する会員情報を管理する会員管理装置と、各遊技台に対応して設けられた各台装置とを備えた会員管理システムであって、
前記各台装置は、
各会員を識別するための第１の会員識別情報が記録された第１の会員記録媒体から前記第１の会員識別情報を読取る第１の会員識別情報読取手段と、
前記第１の会員記録媒体とは別体であり、前記会員を識別するための第２の会員識別情報が記録された第２の会員記録媒体から前記第２の会員識別情報を読取る第２の会員識別情報読取手段と、
前記第１の会員識別情報読取手段により読取られた前記第１の会員識別情報、及び前記第２の会員識別情報読取手段により読取られた前記第２の会員識別情報を前記会員管理装置へ送信する送信手段と
を有し、
前記会員管理装置は、
前記会員情報と前記第１の会員識別情報及び／又は前記第２の会員識別情報とを関連付けて記憶する記憶手段と、
前記各台装置から前記第１の会員識別情報及び前記第２の会員識別情報を受信する受信手段と、
前記受信手段により前記第１の会員識別情報及び前記第２の会員識別情報が受信され、且つ当該受信された前記第１の会員識別情報に関連付けられている前記会員情報に、前記受信手段により受信された前記第２の会員識別情報が関連付けられて前記記憶手段に記憶されていなかった場合、前記受信手段により受信された前記第１の会員識別情報と関連付けられている前記会員情報と、前記受信手段により受信された前記第２の会員識別情報とを関連付けて前記記憶手段に記憶させて登録する会員識別情報登録手段と
を有することを特徴とする会員管理システム。
【請求項２】
前記第２の会員記録媒体は、前記会員が所有するＩＣチップ内蔵の携帯端末であり、
前記第２の会員識別情報は、前記第２の会員記録媒体に搭載されたＩＣチップの製造番号である
ことを特徴とする請求項１に記載の会員管理システム。
【請求項３】
前記会員管理装置は、
前記受信手段により前記第１の会員識別情報又は前記第２の会員識別情報が受信され、且つ当該受信された前記第１の会員識別情報又は前記第２の会員識別情報に関連付けられている前記会員情報が前記第１の会員識別情報と前記第２の会員識別情報との双方に関連付けられて前記記憶手段に記憶されていなかった場合、その旨を示す未登録情報を前記第１の会員識別情報又は前記第２の会員識別情報の送信元の前記各台装置へ送信する未登録情報送信手段を有し、
前記各台装置は、
前記会員管理装置から前記未登録情報を受信する未登録情報受信手段と、
前記未登録情報受信手段により受信された前記未登録情報に基づいて、前記会員情報の関連付け対象として、前記第１の会員情報又は前記第２の会員識別情報が登録されていないことを報知する報知手段と
を有することを特徴とする請求項１又は請求項２に記載の会員管理システム。
【請求項４】
遊技店に予め会員登録した各会員に関する会員情報を管理する会員管理装置と、各遊技台に対応して設けられた各台装置とを備えた会員管理システムにおける前記各台装置であって、
各前記会員を識別するための第１の会員識別情報が記録された第１の会員記録媒体から前記第１の会員識別情報を読取る第１の会員識別情報読取手段と、
前記第１の会員記録媒体とは別体であり、前記会員を識別するための第２の会員識別情報が記録された第２の会員記録媒体から前記第２の会員識別情報を読取る第２の会員識別情報読取手段と、
前記第１の会員識別情報読取手段により読取られた前記第１の会員識別情報、及び前記第２の会員識別情報読取手段により読取られた前記第２の会員識別情報を前記会員管理装置へ送信する送信手段と
を有することを特徴とする各台装置。
【発明の詳細な説明】
【技術分野】
【０００１】
本発明は、会員管理システム及び各台装置に関するものであり、特に、遊技店に予め会員登録した各会員に関する会員情報を管理する会員管理装置と、各遊技台に対応して設けられた各台装置とを備えた会員管理システム及び同システムにおける各台装置に関するものである。
【背景技術】
【０００２】
パチンコ店等の遊技店では、遊技店に会員登録した特定の顧客（以下、「会員」という。）に対して、各会員を識別するための会員識別情報（以下、「会員ＩＤ」という。）が記録された会員カードを発行し、会員に対して会員以外の顧客よりも優遇したサービスを提供する会員システムを導入している店舗が多く存在する。
【０００３】
この会員システムでは、会員ＩＤと、会員の住所や氏名、会員が遊技により獲得したパチンコ玉やメダル等の遊技媒体を貯遊技媒体として遊技店に預け入れている場合には、その会員の貯遊技媒体数等を含む会員情報とが関連付けられて所定の会員管理装置で管理される。
【０００４】
そして、このシステムを導入している遊技店において、会員は、遊技店に貯遊技媒体を預け入れている場合、後日その遊技店で遊技を行う際に、現金を支払うことなく、会員カードを所定の遊技媒体貸出装置へ挿入して所定の操作を行うことにより、預け入れていた貯遊技媒体を用いて遊技を行うことができる。
【０００５】
会員登録を行う際に、顧客は、顧客自身の住所や氏名等の必要事項を記入した申し込み用紙を遊技店内のホールカウンタへ提出して店員に会員登録の申し込みを行う。顧客から申し込み用紙を受付けた店員は、会員ＩＤが記録された会員カードをホールカウンタに設けられた会員登録用端末へ挿入して、会員登録を行う。
【０００６】
会員登録用端末は、会員カードが挿入されると、会員カードから読取った会員ＩＤを会員管理装置へ送信する。会員管理装置は、会員登録用端末から受信した会員ＩＤを会員登録用のテーブルに記憶させて会員登録処理を行い、会員登録処理の完了後に、その旨を会員登録用端末へ通知する。店員は、会員登録用端末が会員管理装置から会員登録処理完了の通知を受けると、会員登録用端末から会員カードの申し込み用紙を提出した顧客へ発行する。
【０００７】
このような手順により顧客に会員カードを発行する場合、顧客による申し込み用紙の提出から会員カードの発行までに時間がかかり、会員登録をする顧客がホールカウンタに殺到した場合に、会員カードの発行が滞るおそれがあることから、会員登録用の申し込み用紙を提出した顧客へ即座に会員カードを発行して、その顧客が任意の顧客が操作可能な位置に設けられた記憶媒体処理装置へ最初に会員カードを挿入した場合に、記憶媒体処理装置から会員管理装置へ会員ＩＤを送信して会員登録を行わせる会員管理システムが考案されている（例えば、特許文献１参照。）。
【０００８】
また、近年の遊技店には、上記のような会員カードによる会員管理システムに加えて、顧客が所有する携帯電話等の携帯端末を上記会員カードとして機能させる携帯会員システムを追加導入する店舗も増加しつつある。
【０００９】
この携帯会員システムによれば、会員は、会員カードに比べて紛失や携帯忘れをする可能性が低い携帯電話を会員カードの代わりに使用することができるため、利便性が向上する。
【先行技術文献】
【特許文献】
【００１０】
【特許文献１】特開２００３−１２６４９６号公報
【発明の概要】
【発明が解決しようとする課題】
【００１１】
しかしながら、会員カードによる会員管理システムに加えて、顧客が所有する携帯電話等の携帯端末を会員カードとして機能させる携帯会員システムを追加導入した店舗では、会員カード又は携帯端末のいずれか一方の媒体を会員カードとして利用する会員登録を既に行っている会員が、他方の媒体を会員カードとして使用するためには、ホールカウンタにおいて所定の手続きを行う必要があり、その手続きが会員や店員にとっては面倒であった。
【００１２】
本発明は、上記に鑑みてなされたものであって、会員カード等の第１の会員記録媒体又は携帯端末等の第２の会員記録媒体のいずれか一方の媒体を会員カードとして使用するための会員登録を既に行っている会員に、面倒な手続き行わせることなく、他方の媒体を会員カードとして使用可能とする会員管理システム及び同システムにおける各遊技台に対応して設けられた各台装置を提供することを目的とする。
【課題を解決するための手段】
【００１３】
上述した課題を解決し、目的を達成するために、本発明は、遊技店に予め会員登録した各会員に関する会員情報を管理する会員管理装置と、各遊技台に対応して設けられた各台装置とを備えた会員管理システムであって、前記各台装置は、各会員を識別するための第１の会員識別情報が記録された第１の会員記録媒体から前記第１の会員識別情報を読取る第１の会員識別情報読取手段と、前記第１の会員記録媒体とは別体であり、前記会員を識別するための第２の会員識別情報が記録された第２の会員記録媒体から前記第２の会員識別情報を読取る第２の会員識別情報読取手段と、前記第１の会員識別情報読取手段により読取られた前記第１の会員識別情報、及び前記第２の会員識別情報読取手段により読取られた前記第２の会員識別情報を前記会員管理装置へ送信する送信手段とを有し、前記会員管理装置は、前記会員情報と前記第１の会員識別情報及び／又は前記第２の会員識別情報とを関連付けて記憶する記憶手段と、前記各台装置から前記第１の会員識別情報及び前記第２の会員識別情報を受信する受信手段と、前記受信手段により前記第１の会員識別情報及び前記第２の会員識別情報が受信され、且つ当該受信された前記第１の会員識別情報に関連付けられている前記会員情報に、前記受信手段により受信された前記第２の会員識別情報が関連付けられて前記記憶手段に記憶されていなかった場合、前記受信手段により受信された前記第１の会員識別情報と関連付けられている前記会員情報と、前記受信手段により受信された前記第２の会員識別情報とを関連付けて前記記憶手段に記憶させて登録する会員識別情報登録手段とを有することを特徴とする。
【００１４】
また、本発明は、前記会員管理システムにおいて、前記第２の会員記録媒体は、前記会員が所有するＩＣチップ内蔵の携帯端末であり、前記第２の会員識別情報は、前記第２の会員記録媒体に搭載されたＩＣチップの製造番号であることを特徴とする。
【００１５】
また、本発明は、前記会員管理システムにおいて、前記会員管理装置は、前記受信手段により前記第１の会員識別情報又は前記第２の会員識別情報が受信され、且つ当該受信された前記第１の会員識別情報又は前記第２の会員識別情報に関連付けられている前記会員情報が前記第１の会員識別情報と前記第２の会員識別情報との双方に関連付けられて前記記憶手段に記憶されていなかった場合、その旨を示す未登録情報を前記第１の会員識別情報又は前記第２の会員識別情報の送信元の前記各台装置へ送信する未登録情報送信手段を有し、前記各台装置は、前記会員管理装置から前記未登録情報を受信する未登録情報受信手段と、前記未登録情報受信手段により受信された前記未登録情報に基づいて、前記会員情報の関連付け対象として、前記第１の会員情報又は前記第２の会員識別情報が登録されていないことを報知する報知手段とを有することを特徴とする。
【００１６】
また、本発明は、遊技店に予め会員登録した各会員に関する会員情報を管理する会員管理装置と、各遊技台に対応して設けられた各台装置とを備えた会員管理システムにおける前記各台装置であって、各前記会員を識別するための第１の会員識別情報が記録された第１の会員記録媒体から前記第１の会員識別情報を読取る第１の会員識別情報読取手段と、前記第１の会員記録媒体とは別体であり、前記会員を識別するための第２の会員識別情報が記録された第２の会員記録媒体から前記第２の会員識別情報を読取る第２の会員識別情報読取手段と、前記第１の会員識別情報読取手段により読取られた前記第１の会員識別情報、及び前記第２の会員識別情報読取手段により読取られた前記第２の会員識別情報を前記会員管理装置へ送信する送信手段とを有することを特徴とする。
【発明の効果】
【００１７】
本発明は、遊技店に予め会員登録した各会員に関する会員情報を管理する会員管理装置と、各遊技台に対応して設けられた各台装置とを備えた会員管理システムであって、前記各台装置は、各会員を識別するための第１の会員識別情報が記録された第１の会員記録媒体から前記第１の会員識別情報を読取る第１の会員識別情報読取手段と、前記第１の会員記録媒体とは別体であり、前記会員を識別するための第２の会員識別情報が記録された第２の会員記録媒体から前記第２の会員識別情報を読取る第２の会員識別情報読取手段と、前記第１の会員識別情報読取手段により読取られた前記第１の会員識別情報、及び前記第２の会員識別情報読取手段により読取られた前記第２の会員識別情報を前記会員管理装置へ送信する送信手段とを有し、前記会員管理装置は、前記会員情報と前記第１の会員識別情報及び／又は前記第２の会員識別情報とを関連付けて記憶する記憶手段と、前記各台装置から前記第１の会員識別情報及び前記第２の会員識別情報を受信する受信手段と、前記受信手段により前記第１の会員識別情報及び前記第２の会員識別情報が受信され、且つ当該受信された前記第１の会員識別情報に関連付けられている前記会員情報に、前記受信手段により受信された前記第２の会員識別情報が関連付けられて前記記憶手段に記憶されていなかった場合、前記受信手段により受信された前記第１の会員識別情報と関連付けられている前記会員情報と、前記受信手段により受信された前記第２の会員識別情報とを関連付けて前記記憶手段に記憶させて登録する会員識別情報登録手段とを有することを特徴とするため、会員カード等の第１の会員記録媒体又は携帯端末等の第２の会員記録媒体のいずれか一方の会員記録媒体を会員カードとして使用するための会員登録を既に行っている会員は、他方の会員記録媒体から記録されている会員識別情報を各台装置に読取らせるだけで、面倒な手続き行わせることなく、他方の会員記録媒体を会員カードとして使用することができるようになる。
【００１８】
また、本発明は、前記会員管理システムにおいて、前記第２の会員記録媒体は、前記会員が所有するＩＣチップ内蔵の携帯端末であり、前記第２の会員識別情報は、前記第２の会員記録媒体に搭載されたＩＣチップの製造番号であることを特徴とするため、会員が所有する携帯端末を第２の会員記録媒体として使用させることができる。
【００１９】
また、本発明は、前記会員管理システムにおいて、前記会員管理装置は、前記受信手段により前記第１の会員識別情報又は前記第２の会員識別情報が受信され、且つ当該受信された前記第１の会員識別情報又は前記第２の会員識別情報に関連付けられている前記会員情報が前記第１の会員識別情報と前記第２の会員識別情報との双方に関連付けられて前記記憶手段に記憶されていなかった場合、その旨を示す未登録情報を前記第１の会員識別情報又は前記第２の会員識別情報の送信元の前記各台装置へ送信する未登録情報送信手段を有し、前記各台装置は、前記会員管理装置から前記未登録情報を受信する未登録情報受信手段と、前記未登録情報受信手段により受信された前記未登録情報に基づいて、前記会員情報の関連付け対象として、前記第１の会員情報又は前記第２の会員識別情報が登録されていないことを報知する報知手段とを有することを特徴とするため、第２の会員識別情報が未登録の会員に対して、その旨を通知して第２の会員識別情報の登録を促すことができる。
【００２０】
また、本発明は、遊技店に予め会員登録した各会員に関する会員情報を管理する会員管理装置と、各遊技台に対応して設けられた各台装置とを備えた会員管理システムにおける前記各台装置であって、各前記会員を識別するための第１の会員識別情報が記録された第１の会員記録媒体から前記第１の会員識別情報を読取る第１の会員識別情報読取手段と、前記第１の会員記録媒体とは別体であり、前記会員を識別するための第２の会員識別情報が記録された第２の会員記録媒体から前記第２の会員識別情報を読取る第２の会員識別情報読取手段と、前記第１の会員識別情報読取手段により読取られた前記第１の会員識別情報、及び前記第２の会員識別情報読取手段により読取られた前記第２の会員識別情報を前記会員管理装置へ送信する送信手段とを有することを特徴とするため、１台の各台装置で第１の会員識別情報及び第２の会員識別情報という２種類の情報を処理して会員管理装置へ送信することができるので、会員管理装置は、各台装置から受信した会員の第１の会員識別情報と第２の会員識別情報とを用いて、その会員の会員情報を管理することができ、
会員カード等の第１の会員記録媒体又は携帯端末等の第２の会員記録媒体のいずれか一方の会員記録媒体を会員カードとして使用するための会員登録を既に行っている会員は、他方の会員記録媒体から記録されている会員識別情報を各台装置に読取らせるだけで、面倒な手続き行わせることなく、他方の会員記録媒体を会員カードとして使用することができるようになる。
【図面の簡単な説明】
【００２１】
【図１】図１は、本実施形態に係る会員管理システムＳを導入した遊技店における各装置の接続態様を示す説明図である。
【図２】図２は、本実施形態に係るＣＲユニットの設置態様及び外観を示す説明図である。
【図３】図３は、本実施形態の会員管理システムにおいて、会員が携帯会員登録を行う際の操作手順を示す説明図である。
【図４】図４は、本実施形態に係るＣＲユニット及び会員管理装置の構成を示す機能ブロック図である。
【図５】図５は、本実施形態に係る会員情報管理テーブルの一例を示す説明図である。
【図６】図６は、本実施形態に係るＣＲユニットで実行される処理を示すフローチャートである。
【図７】図７は、本実施形態に係る会員管理装置で実行される処理を示すフローチャートである。
【図８】図８は、本変形例に係るＣＲユニットで実行される処理を示すフローチャートである。
【図９】図９は、本変形例に係る会員管理装置で実行される処理を示すフローチャートである。
【発明を実施するための形態】
【００２２】
以下、本発明の一実施形態について、図面を参照して説明する。本実施形態では、遊技店に会員登録した特定の顧客（以下、「会員」という。）に対して、各会員を識別するための会員識別情報（以下、「会員ＩＤ」という。）が記録された会員カードを発行し、会員に対して会員以外の顧客よりも優遇したサービスを提供する会員システムと、上記のような会員カードによる会員管理システムに加えて、顧客が所有する携帯電話を会員カードとして機能させる携帯会員システムとを導入している遊技店に対して、本発明を適用した場合を例に挙げて説明する。
【００２３】
なお、本実施形態では、本発明における遊技台の一例としてパチンコ玉を用いて遊技するパチンコ台を例に挙げて説明するが、本発明における遊技台はパチンコ台に限定されるものではなく、メダルを用いて有する所謂パチスロ機等の他の遊技台であってもよい。
【００２４】
また、以下の説明において、顧客が会員カードの発行を受けるために行う会員登録を単に会員登録といい、顧客が所有する携帯電話を会員カードとして利用できるようにするために行う会員登録を携帯会員登録という。
【００２５】
図１は、本実施形態に係る会員管理システムＳを導入した遊技店における各装置の接続態様を示す説明図である。図１に示すように、遊技店には、複数台のパチンコ台Ｐ、各パチンコ台Ｐに対応して設けられた各台装置としてのＣＲ（Card Reader）ユニット１、会員管理装置２、コンソール３、精算機４、券売機５、島コントローラ６、計数機７、会員カード端末８、再プレイ玉貸機９が設けられている。
【００２６】
ＣＲユニット１は、顧客が現金を投入して所定の操作を行った場合に、その顧客に対して所定個数のパチンコ玉を貸出す玉貸し機能や、遊技で獲得したパチンコ玉を貯玉として遊技店に預けていた会員が会員カードＣ（図３参照）を挿入して所定の操作を行った場合に、その会員へ貯玉を返還して、貯玉による遊技を可能とする貯玉返還機能等を備えた装置である。
【００２７】
なお、このＣＲユニット１は、会員以外の顧客が遊技を終了する再に、顧客がパチンコ玉を借り受けるために支払った金額のうち、パチンコ玉に変換された残りの残高（プリペイド残高）や、その顧客が遊技で獲得したパチンコ玉数（持玉）が関連付けられたカード（以下、会員カードＣと区別するため、「一般カード」という。）を顧客へ発行する機能を備えている。
【００２８】
会員管理装置２は、会員登録した各会員の会員ＩＤと、その会員に関する会員情報とを関連付けて管理する会員管理機能を備えた装置である。また、この会員管理装置２は、携帯会員登録した会員が所有している携帯電話Ｋ（図３参照）を一意に特定可能な携帯識別情報（以下、「携帯ＩＤ」という。）と、その会員の会員情報とを関連付けて管理する機能を備えている。なお、携帯ＩＤとしては、たとえば、携帯電話Ｋに搭載されているＦｅｌｉＣａ（登録商標）等の非接触型ＩＣチップの製造番号であるＩＤｍ等を用いることができる。本実施形態では、これら複数の各ＣＲユニット１と、会員管理装置２とが会員管理システムＳの主たる構成要素となる。
【００２９】
コンソール３は、プリペイド残高等を各パチンコ台Ｐ単位で管理する装置である。島コントローラ６は、所定数のパチンコ台Ｐ及びＣＲユニット１に対して１台設けられ、各ＣＲユニット１とコンソール３との間で送受信される各種情報の中継を行う装置である。本実施形態では、これらコンソール３と島コントローラ６とを介して、各ＣＲユニット１と会員管理装置２との間で各種情報の送受信を行う。
【００３０】
精算機４は、顧客がプリペイド残高が残っている一般カードを挿入して所定の操作を行った場合に、プリペイド残高に相当する金額の現金を払出す装置である。また、券売機５は、顧客が現金や現金に相当する有価価値を投入して所定の操作を行った場合に、投入された額に相当するプリペイド残高が関連付けられた一般カードを発行する装置である。
【００３１】
計数機７は、顧客が遊技により獲得したパチンコ玉の個数を計数する装置である。この計数機７は、パチンコ玉を計数した後、その計数結果が印刷された紙片等を発行する。顧客は、この紙片を所定のホールカウンタ等で店員に提出することによって、獲得したパチンコ玉数に相当する景品を受取る。なお、この計数機７は、島端にある場合と、ＣＲユニット１に対して１対１で配置されている場合がある。
【００３２】
会員カード端末８は、会員が会員カードＣを挿入して所定の操作を行った場合に、その会員の貯玉数や各パチンコ台Ｐの動作履歴等を示す各種情報を表示して会員に提供する装置である。再プレイ玉貸機９は、会員が会員カードＣを挿入して所定の操作を行った場合に、挿入された会員カードＣの会員ＩＤに関連付けて管理されている貯玉数を上限としてパチンコ玉を払出す装置である。
【００３３】
特に、本実施形態の会員管理システムＳは、既に会員登録済みで携帯会員登録を行っていない会員に、ホールカウンタへ赴くなどして面倒な手続きを行わせることなく、その会員が遊技中のパチンコ台Ｐに併設されているＣＲユニット１を利用して、携帯会員登録を行うことができるように構成している。
【００３４】
ここで、本実施形態に係るＣＲユニット１の設置態様及び外観について説明する。図２は、本実施形態に係るＣＲユニット１の設置態様及び外観を示す説明図である。図２（ａ）に示すように、ＣＲユニット１は、各パチンコ台Ｐの左側に併設される。
【００３５】
このＣＲユニット１は、図２（ｂ）に示すように、会員により挿入された会員カードＣから会員カードＣに記録されている会員ＩＤを読取るカード用リーダ／ライタ１０と、会員が携帯電話Ｋをかざすことによって、その携帯電話Ｋから非接触通信により携帯ＩＤを受信して読取るＩＣチップ用リーダ／ライタ１１と、会員が携帯会員登録を行う際等に操作する操作部１２と、携帯会員登録結果や後述の会員登録特典等の各種情報を表示して報知する表示部１３とを備えている。なお、図２（ｂ）中の符号１４は、顧客がパチンコ玉を借り受けるために現金を投入する現金投入口であり、符号１５は、顧客へ貸し出すパチンコ玉や会員へ返還する貯玉を対応するパチンコ台Ｐへ払出す玉払出部である。
【００３６】
本実施形態では、会員カードＣが本発明における第１の会員記録媒体の一例に相当し、携帯電話Ｋが本発明における第２の会員記録媒体の一例に相当する。また、本実施形態では、本発明における第１の会員識別情報として会員ＩＤを例に挙げ、本発明における第２の会員識別情報として携帯ＩＤを例に挙げて説明する。
【００３７】
次に、このＣＲユニット１を用いて、会員が携帯会員登録を行う際の操作手順について説明する。図３は、本実施形態の会員管理システムＳにおいて、会員が携帯会員登録を行う際の操作手順を示す説明図である。
【００３８】
携帯会員登録を行う場合、会員は、図３（ａ）に示すように、まずＣＲユニット１の下部に設けられているカード用リーダ／ライタ１０に会員カードＣを挿入する。その後、会員は、図３（ｂ）に示すように、ＣＲユニット１の操作部１２に設けられている携帯会員登録ボタン１２１を操作する。
【００３９】
ＣＲユニット１は、カード用リーダ／ライタ１０に会員カードＣが挿入された状態で携帯会員登録ボタン１２１が操作されると、図３（ｃ）に示すように、表示部１３に「携帯電話をかざしてください。」という携帯ＩＤ要求表示を表示させる。なお、ここでは、携帯ＩＤ要求表示を表示部１３に表示させるようにしているが、ＩＣチップ用リーダ／ライタ１１に「携帯電話をかざしてください。」の文字が記載された半透明のシール等を貼付しておき、カード用リーダ／ライタ１０に会員カードＣが挿入された状態で携帯会員登録ボタン１２１が操作された場合に、携帯電話Ｋをかざす部分をシール越しに点灯させることによって、会員に携帯電話Ｋをかざすように促してもよい。
【００４０】
その後、ＣＲユニット１は、図３（ｄ）に示すように、会員により携帯電話ＫがＩＣチップ用リーダ／ライタ１１にかざされると、ＩＣチップ用リーダ／ライタ１１により携帯電話Ｋから携帯ＩＤを受信して読取り、会員カードＣから読取った会員ＩＤと携帯電話Ｋから読取った携帯ＩＤとを会員管理装置２へ向けて送信する。
【００４１】
会員管理装置２は、ＣＲユニット１から送信された会員ＩＤ及び携帯ＩＤを受信すると、受信した会員ＩＤに関連付けて管理している会員情報と、受信した携帯ＩＤとを関連付けて記憶することによって携帯会員登録を行う。その後、会員管理装置２は、携帯会員登録が完了したことを示す携帯会員登録結果を、会員ＩＤ及び携帯ＩＤを送信してきたＣＲユニット１へ向けて送信する。
【００４２】
ＣＲユニット１は、会員管理装置２から送信された携帯会員登録結果を受信すると、図３（ｅ）に示すように、携帯会員登録結果の内容を表示部１３に表示させる。
【００４３】
このように、本実施形態の会員管理システムＳによれば、会員登録済みで携帯会員登録を済ませていない会員は、遊技しているパチンコ台Ｐに併設されているＣＲユニット１を操作して携帯電話ＫをＩＣチップ用リーダ／ライタ１１にかざすだけで、ホールカウンタでの面倒な手続きを行うことなく、簡単に携帯会員登録を行うことができる。
【００４４】
また、この会員管理システムＳで用いる携帯ＩＤとして、携帯電話Ｋに搭載されたＦｅｌｉＣａ（登録商標）等の電磁誘導による電力で動作して情報通信を行う非接触型ＩＣチップの製造番号を用いれば、携帯ＩＤの読取りの際に、携帯電話Ｋでは、特別なアプリケーションプログラムを実行する必要がなく、携帯電話Ｋの処理付加や電力消費を低減することができる。
【００４５】
また、図３（ａ）〜（ｅ）に示した例では、会員が会員カードＣをカード用リーダ／ライタ１０に挿入した後、自ら携帯会員登録ボタン１２１を操作する場合について説明したが、図３（ａ）に示す手順と図３（ｂ）に示す手順との間に、会員に対して、その会員の会員登録状態を示す画像をＣＲユニット１の表示部１３に表示させるよう会員管理システムＳを構成してもよい。
【００４６】
かかる構成とする場合にＣＲユニット１及び会員管理装置２で実行される処理については、後に説明する変形例で詳述するため、ここでは簡単に説明するが、かかる構成とした場合には、図３（ａ）に示すように、会員により会員カードＣがカード用リーダ／ライタ１０に挿入されると、ＣＲユニット１は、カード用リーダ／ライタ１０により読取った会員ＩＤを会員管理装置２へ向けて送信する。
【００４７】
会員管理装置２は、ＣＲユニット１から会員ＩＤを受信すると、その会員ＩＤに対応する会員の会員情報を参照して登録状態を判定し、その判定結果として登録状態を示す情報をＣＲユニット１へ向けて送信する。
【００４８】
このとき、その会員が携帯会員登録を行っていなかった場合、ＣＲユニット１は、たとえば、図３（ｆ）に示すように、「○○様、携帯電話が未登録です。いま、携帯会員登録されますと、貯玉５０個サービスいたします。」という携帯会員登録を促す情報と共に、「いま、携帯会員登録されますと、貯玉５０個サービスします。」という情報を携帯会員登録特典表示を表示部１３に表示させる。
【００４９】
このように、携帯会員登録を済ませていない会員が会員カードＣをカード用リーダ／ライタ１０に挿入した場合に、その会員に対して、携帯会員登録を促す画像を表示することによって、携帯会員登録の促進を図ることができる。
【００５０】
また、携帯会員登録済みで会員登録を済ませていない会員が、携帯電話ＫをＣＲユニット１のＩＣチップ用リーダ／ライタ１１にかざして、ＣＲユニット１に携帯ＩＤを読取らせた場合に、その会員の登録状態を会員管理装置２に判定させて、判定結果である登録状態をＣＲユニット１の表示部１３に表示させるように会員管理システムＳを構成してもよい。かかる構成とすれば、携帯会員登録済みで会員登録を済ませていない会員に対して、会員登録を促すことができる。
【００５１】
次に、本実施形態に係るＣＲユニット１及び会員管理装置２の構成について説明する。図４は、本実施形態に係るＣＲユニット１及び会員管理装置２の構成を示す機能ブロック図である。同図には、ＣＲユニット１及び会員管理装置２の特徴を説明するために必要な構成要素のみを示しており、一般的な構成要素についての記載を省略している。
【００５２】
図４に示すように、ＣＲユニット１は、カード用リーダ／ライタ１０と、ＩＣチップ用リーダ／ライタ１１と、操作部１２と、表示部１３と、送信部１６と、受信部１７とを備えている。
【００５３】
カード用リーダ／ライタ１０は、会員により会員カードＣが挿入された場合に、その会員カードＣから会員ＩＤを読取って送信部１６へ出力する処理部である。このカード用リーダ／ライタ１０は、第１の会員識別情報読取手段として機能するものである。
【００５４】
また、ＩＣチップ用リーダ／ライタ１１は、顧客により携帯電話Ｋがかざされた場合に、その携帯電話Ｋに搭載されている非接触型のＩＣチップから当該ＩＣチップの製造番号である携帯ＩＤを受信して読み取り、読取った携帯ＩＤを送信部１６へ出力する処理部である。このＩＣチップ用リーダ／ライタ１１は、第２の会員識別情報読取手段として機能するものである。
【００５５】
操作部１２は、顧客が操作する複数の操作ボタン（例えば、図３（ｂ）に示す携帯会員登録ボタン１２１や確認ボタン１２２等）を備えている。そして、この操作部１２は、顧客により操作ボタンが操作されると、その操作ボタンに対応した操作信号を送信部１６へ出力する。
【００５６】
表示部１３は、表示制御部を備えた液晶表示装置により構成している。この表示部１３は、会員の登録状態、携帯ＩＤの受信要求、携帯会員登録結果等を示す情報を表示する。また、この表示部１３は、携帯会員登録ボタン１２１が操作された場合に、図３（ｃ）に示す携帯電話Ｋをかざすように促す画像を表示し、確認ボタン１２２が操作された場合に、図３（ｅ）に示す携帯会員登録結果の表示を停止する。なお、本実施形態では、表示部１３を液晶表示装置により構成しているが、表示部１３は、有機ＥＬ（Electro-Luminescence）等、他の画像表示装置により構成してもよい。
【００５７】
送信部１６は、カード用リーダ／ライタ１０から入力される会員ＩＤやＩＣチップ用リーダ／ライタ１１から入力される携帯ＩＤを会員管理装置２へ向けて送信する処理部である。この送信部１６から会員管理装置２へ向けて送信される各種情報は、島コントローラ６とコンソール３とを経由して会員管理装置２へ送信される。
【００５８】
受信部１７は、会員管理装置２から送信される携帯会員登録結果、会員登録状態等を受信する処理部である。この受信部１７は、会員管理装置２から会員登録又は携帯会員登録のいずれか一方が済んでいないことを示す携帯会員登録結果を受信する場合に、会員管理装置２から未登録除法を受信する未登録情報受信手段として機能する。
【００５９】
なお、図４には、ＣＲユニット１の機能的な構成を示したが、このＣＲユニット１は、物理的にはＣＰＵ（Central Processing Unit）とＲＯＭ（Read Only Memory）とＲＡＭ（Random Access Memory）とを有する情報処理装置を備えており、ＣＰＵがＲＯＭから各種プログラムを読出し、ＲＡＭを作業領域として使用して実行することにより、カード用リーダ／ライタ１０、ＩＣチップ用リーダ／ライタ１１、表示部１３、送信部１６、受信部１７等の動作を統括制御する。このＣＰＵが実行する処理については後に詳述する。
【００６０】
会員管理装置２は、記憶部２１と、受信部２２と、送信部２３と、会員情報管理部２４とを備えている。
【００６１】
記憶部２１は、ＨＤＤ（Hard Disc Drive）やフラッシュメモリ等の不揮発性記憶装置により構成している。この記憶部２１には、各会員の会員情報と、その会員の会員ＩＤ及びその会員が所有する携帯電話Ｋの携帯ＩＤとが関連付けられて記憶された会員情報管理テーブル２１２が記憶されている。
【００６２】
図５は、会員情報管理テーブル２１２の一例を示す説明図である。図５に示すように、会員情報管理テーブル２１２には、各会員の会員ＩＤと、その会員の携帯ＩＤと、その会員の氏名、住所、電話番号、貯玉数等を含む会員情報とがそれぞれ対応付けられて記憶されている。
【００６３】
なお、会員登録済みで携帯会員登録が済んでいない会員（例えば、会員ＩＤが12312312の会員）の場合、会員情報管理テーブル２１２に携帯ＩＤは記憶されずに携帯ＩＤの欄（記憶領域）が空白となる。また、ここでは、図示していないが、携帯会員登録済みで会員登録が済んでいない会員の場合には、会員ＩＤの欄（記憶領域）が空白となる。また、図５に示す例では、一つの会員ＩＤに対して、一つの携帯ＩＤが関連付けられて記憶されているが、本実施形態の会員管理システムＳでは、一つの会員ＩＤに対して、複数の携帯ＩＤを関連付けて記憶させて登録することができるように構成している。
【００６４】
図４の説明に戻り、会員管理装置２の受信部２２は、ＣＲユニット１から送信される会員ＩＤや携帯ＩＤを受信する処理部である。
【００６５】
会員管理装置２の送信部２３は、受信部２２により受信した会員ＩＤ又は携帯ＩＤに対応する会員の会員登録状態や、携帯会員登録結果等を示す情報をＣＲユニット１へ向けて送信する処理部である。この送信部２３からＣＲユニット１へ向けて送信される各種情報は、コンソール３と島コントローラ６とを経由してＣＲユニット１へ送信される。
【００６６】
会員情報管理部２４は、受信部２２により会員ＩＤ及び携帯ＩＤが受信され、且つ当該受信された会員ＩＤに関連付けられて会員情報管理テーブル２１２に記憶されている会員情報に、受信部２２により受信された携帯ＩＤが関連付けられて会員情報管理テーブル２１２内に記憶されていなかった場合、受信部２２により受信された会員ＩＤと関連付けられている会員情報と、受信部２２により受信された携帯ＩＤとを関連付けて会員情報管理テーブル２１２に記憶させて登録する処理部である。
【００６７】
すなわち、この会員情報管理部２４は、ＣＲユニット１から受信した会員ＩＤと携帯ＩＤとを受信した場合に、会員情報管理テーブル２１２を参照して、受信した会員ＩＤに対応する会員が携帯会員登録を済ませていないと判定した場合に、その会員に対応する会員情報管理テーブル２１２の欄（記憶領域）に受信した携帯ＩＤを記憶させることにより、携帯会員登録を行う。そして、この会員情報管理部２４は、携帯会員登録が完了すると、その結果である会員登録結果を送信部２３へ出力して、ＣＲユニット１へ向けて送信させる。
【００６８】
なお、図４には、会員管理装置２の機能的な構成を示したが、この会員管理装置２は、物理的にはＣＰＵとＲＯＭとＲＡＭとを有する情報処理装置を備えており、ＣＰＵがＲＯＭから各種プログラムを読出し、ＲＡＭを作業領域として使用して実行することにより、受信部２２、送信部２３、会員情報管理部２４等の動作を統括制御する。会員管理装置２のＣＰＵが実行する処理については後に詳述する。
【００６９】
また、この会員管理装置２は、ＣＰＵが実行するプログラムを変更することによって、受信部２２により会員ＩＤ又は携帯ＩＤが受信され、且つ当該受信された会員ＩＤ又は携帯ＩＤに関連付けられている会員情報が会員ＩＤと携帯ＩＤとの双方に関連付けられて会員情報管理テーブル２１２に記憶されていなかった場合、その旨を示す未登録情報を会員ＩＤ情報又は携帯ＩＤの送信元のＣＲユニット１へ送信させることもできる。このプログラムを変更した場合にＣＰＵが実行する処理については、後に説明する変形例において詳述する。
【００７０】
次に、ＣＲユニット１のＣＰＵ（以下、単に「ＣＰＵ」という。）が実行する処理について説明する。図６は、本実施形態に係るＣＲユニット１で実行される処理を示すフローチャートである。ＣＰＵは、ＣＲユニット１に電源が投入されると図６に示す処理を開始し、この処理が終了すると、再度ステップＳ１０１から処理を開始する。なお、ここでは、携帯会員登録に関する処理について説明することとし、それ以外の処理については説明を省略する。
【００７１】
ＣＲユニット１に電源が投入されると、ＣＰＵは、図６に示すように、まず、カード用リーダ／ライタ１０に会員カードＣが挿入されたか否かの判定を行い（ステップＳ１０１）、会員カードＣが挿入されたと判定した場合に（ステップＳ１０１：Ｙｅｓ）、処理をステップＳ１０２へ移す。一方、ＣＰＵは、会員カードＣが挿入されていないと判定した場合に（ステップＳ１０１：Ｎｏ）、処理を終了する。
【００７２】
ステップＳ１０２において、ＣＰＵは、カード用リーダ／ライタ１０に挿入された会員カードＣから会員ＩＤを読取らせ、その後、携帯会員登録ボタン１２１による携帯会員登録操作があったか否かの判定を行い（ステップＳ１０３）、携帯会員登録操作があったと判定した場合に（ステップＳ１０３：Ｙｅｓ）、処理をステップＳ１０４へ移す。一方、ＣＰＵは、携帯会員登録操作がなかったと判定した場合（ステップＳ１０３：Ｎｏ）、処理を終了する。なお、ここで、ＣＰＵは、会員ＩＤの読取りから所定時間が経過しても携帯会員登録操作がなかった場合に、携帯会員登録操作がなかったと判定する。
【００７３】
ステップＳ１０４において、ＣＰＵは、表示部１３に携帯ＩＤ要求表示を行わせる。ここで、ＣＰＵは、例えば、図３（ｃ）に示すように「携帯電話をかざしてください。」という文字情報を表示部１３に表示させる。この文字情報は、表示部１３内部の図示しない記憶部に記憶されている情報である。
【００７４】
その後、ＣＰＵは、ステップＳ１０５において、ＩＣチップ用リーダ／ライタ１１により携帯ＩＤを受信したか否かの判定を行い、携帯ＩＤを受信したと判定した場合に（ステップＳ１０５：Ｙｅｓ）、処理をステップ１０６へ移す。一方、ＣＰＵは、携帯ＩＤを受信していないと判定した場合（ステップＳ１０５：Ｎｏ）、携帯ＩＤを受信するまでステップＳ１０５の判定処理を繰り返す。
【００７５】
続いて、ステップＳ１０６において、ＣＰＵは、ステップＳ１０２で読取った会員ＩＤと、ステップＳ１０５で受信した携帯ＩＤとを会員管理装置２へ向けて送信させ、その後、会員管理装置２から送信された携帯会員登録結果を受信したか否かの判定を行い（ステップＳ１０７）、携帯会員登録結果を受信したと判定した場合に（ステップＳ１０７：Ｙｅｓ）、処理をステップＳ１０８へ移す。一方、ＣＰＵは、携帯会員登録結果を受信していないと判定した場合（ステップＳ１０７：Ｎｏ）、携帯会員登録結果を受信するまで、ステップＳ１０７の判定処理を繰り返す。なお、ステップＳ１０６において、会員ＩＤ・携帯ＩＤの送信と共に、登録コマンドを送信するようにしてもよい。
【００７６】
その後、ステップＳ１０８において、ＣＰＵは、ステップＳ１０７で受信が確認された携帯会員登録結果を示す情報を表示部１３に表示させる。続いて、ＣＰＵは、確認ボタン１２２による確認操作があったか否かの判定を行い（ステップＳ１０９）、確認操作があったと判定した場合に（ステップＳ１０９：Ｙｅｓ）、携帯会員登録結果を示す情報の表示を終了させて処理を終了する。一方、ＣＰＵは、確認操作がないと判定した場合（ステップＳ１０９：Ｎｏ）、確認操作があるまでステップＳ１０９の判定処理を繰り返す。
【００７７】
次に、会員管理装置２のＣＰＵ（以下、単に「ＣＰＵ」という。）が実行する処理について説明する。図７は、本実施形態に係る会員管理装置２で実行される処理を示すフローチャートである。ＣＰＵは、会員管理装置２に電源が投入されると図７に示す処理を開始し、この処理が終了すると、再度ステップＳ２０１から処理を開始する。なお、ここでは、携帯会員登録に関する処理について説明することとし、それ以外の処理については説明を省略する。
【００７８】
会員管理装置２に電源が投入されると、ＣＰＵは、図７に示すように、まず、ＣＲユニット１から送信された会員ＩＤと携帯ＩＤとを受信したか否かの判定を行い（ステップＳ２０１）、会員ＩＤと携帯ＩＤとを受信したと判定した場合に（ステップＳ２０１：Ｙｅｓ）、処理をステップＳ２０２へ移す。一方、ＣＰＵは、会員ＩＤと携帯ＩＤを受信していないと判定した場合（ステップＳ２０１：Ｎｏ）、処理を終了する。
【００７９】
ステップＳ２０２において、ＣＰＵは、携帯会員登録を行う。ここで、ＣＰＵは、記憶部２１内の会員情報管理テーブル２１２を参照して、ＣＲユニット１から受信した会員ＩＤに対応する携帯ＩＤの欄（記憶領域）に、ステップＳ２０１で受信が確認された携帯ＩＤを記憶させて登録することによって携帯会員登録を行い、その後、処理をステップＳ２０３へ移す。
【００８０】
そして、ステップＳ２０３において、ＣＰＵは、ステップＳ２０２で行った携帯会員登録の結果である携帯会員登録結果をＣＲユニット１へ向けて送信させて処理を終了する。
【００８１】
次に、本実施形態に係る会員管理システムＳの変形例について説明する。本変形例に係る会員管理システムＳは、会員登録又は携帯会員登録が済んでいない会員がＣＲユニット１を利用した場合に、その会員に対して、会員登録又は携帯会員登録が済んでいないこと（その会員の登録状態）を報知して、未登録の会員に会員登録又は携帯会員登録を促すことができるように構成している。
【００８２】
なお、本変形例に係るＣＲユニット１及び会員管理装置２の構成は、図４に示したものと同様であり、ＣＲユニット１及び会員管理装置２の各ＣＰＵが実行する処理だけが異なるため、ここでは、ＣＲユニット１及び会員管理装置２の各ＣＰＵが実行する処理についてのみ説明することとする。
【００８３】
図８は、本変形例に係るＣＲユニット１で実行される処理を示すフローチャートである。本変形例におけるＣＲユニット１のＣＰＵ（以下、単に「ＣＰＵ」という。）は、ＣＲユニット１に電源が投入されると図８に示す処理を開始し、この処理が終了すると、再度ステップＳ３０１から処理を開始する。なお、ここでは、携帯会員登録に関する処理について説明することとし、それ以外の処理については説明を省略する。
【００８４】
ＣＲユニット１に電源が投入されると、ＣＰＵは、図８に示すように、まず、カード用リーダ／ライタ１０に会員カードＣが挿入されたか否かの判定を行い（ステップＳ３０１）、会員カードＣが挿入されたと判定した場合に（ステップＳ３０１：Ｙｅｓ）、処理をステップＳ３０２へ移す。一方、ＣＰＵは、会員カードＣが挿入されていないと判定した場合に（ステップＳ３０１：Ｎｏ）、処理をステップＳ３１３へ移す。
【００８５】
ステップＳ３０２において、ＣＰＵは、カード用リーダ／ライタ１０に挿入された会員カードＣから会員ＩＤを読取らせた後、読取られた会員ＩＤを会員管理装置２へ向けて送信させ（ステップＳ３０３）、その後、処理をステップＳ３０４へ移す。
【００８６】
ステップＳ３０４において、ＣＰＵは、ステップＳ３０２で読取った会員ＩＤに対応する会員の登録状態を会員管理装置２から受信したか否かの判定を行い、登録状態を受信したと判定した場合に（ステップＳ３０４：Ｙｅｓ）、処理をステップＳ３０５へ移す。一方、ＣＰＵは、登録状態を受信していないと判定した場合（ステップＳ３０４：Ｎｏ）、登録状態を受信するまで、ステップＳ３０４の判定処理を繰り返す。
【００８７】
ステップＳ３０５において、ＣＰＵは、ステップＳ３０４で受信が確認された登録状態から、ステップＳ３０３で送信した会員ＩＤに対応する会員情報管理テーブル２１２の携帯ＩＤの欄（記憶領域）に、既に携帯ＩＤが登録済みであるか否かの判定を行い、携帯ＩＤが登録済みであると判定した場合に（ステップＳ３０５：Ｙｅｓ）、処理をステップＳ３０６へ移す。一方、ＣＰＵは、携帯ＩＤが登録済みでないと判定した場合（ステップＳ３０５：Ｎｏ）、処理をステップＳ３０７へ移す。
【００８８】
ステップＳ３０７において、ＣＰＵは、携帯会員登録が済んでいないことと、今回携帯会員登録をした場合に特典を受けることができることを示す携帯会員登録特典表示（図３（ｆ）参照。）を表示部１３に表示させ、その後、処理をステップＳ３０６へ移す。
【００８９】
ステップＳ３０６において、ＣＰＵは、携帯会員登録ボタン１２１による携帯会員登録操作があったか否かの判定を行い、携帯会員登録操作があったと判定した場合に（ステップＳ３０６：Ｙｅｓ）、処理をステップＳ３０８へ移す。一方、ＣＰＵは、携帯会員登録操作がなかったと判定した場合（ステップＳ３０６：Ｎｏ）、処理を終了する。なお、ここで、ＣＰＵは、会員ＩＤの読取りから所定時間が経過しても携帯会員登録操作がなかった場合に、携帯会員登録操作がなかったと判定する。
【００９０】
ステップＳ３０８において、ＣＰＵは、表示部１３に携帯ＩＤ要求表示を行わせる。ここで、ＣＰＵは、例えば、図３（ｃ）に示すように「携帯電話をかざしてください。」という文字情報を表示部１３に表示させる。この文字情報は、表示部１３内部の図示しない記憶部に記憶されている情報である。
【００９１】
その後、ＣＰＵは、ステップＳ３０９において、ＩＣチップ用リーダ／ライタ１１により携帯ＩＤを受信したか否かの判定を行い、携帯ＩＤを受信したと判定した場合に（ステップＳ３０９：Ｙｅｓ）、処理をステップ３１０へ移す。一方、ＣＰＵは、携帯ＩＤを受信していないと判定した場合（ステップＳ３０９：Ｎｏ）、携帯ＩＤを受信するまでステップＳ３０９の判定処理を繰り返す。
【００９２】
続いて、ステップＳ３１０において、ＣＰＵは、ステップＳ３０９で受信が確認された携帯ＩＤを会員管理装置２へ向けて送信させ、その後、会員管理装置２から送信された携帯会員登録結果を受信したか否かの判定を行い（ステップＳ３１１）、携帯会員登録結果を受信したと判定した場合に（ステップＳ３１１：Ｙｅｓ）、処理をステップＳ３１２へ移す。一方、ＣＰＵは、携帯会員登録結果を受信していないと判定した場合（ステップＳ３１１：Ｎｏ）、携帯会員登録結果を受信するまで、ステップＳ３１１の判定処理を繰り返す。
【００９３】
その後、ステップＳ３１２において、ＣＰＵは、ステップＳ３１１で受信が確認された携帯会員登録結果を示す情報を表示部１３に表示させた後、処理をステップＳ３１８へ移す。
【００９４】
また、ＣＰＵは、会員カードＣが挿入されていないと判定した場合（ステップＳ３０１：Ｎｏ）に行うステップＳ３１３において、ＩＣチップ用リーダ／ライタ１１により携帯ＩＤを受信したか否かの判定を行い、携帯ＩＤを受信したと判定した場合に（ステップＳ３１３：Ｙｅｓ）、処理をステップＳ３１４へ移す。一方、ＣＰＵは、携帯ＩＤを受信しなかったと判定した場合（ステップＳ３１３：Ｎｏ）、処理を終了する。
【００９５】
ステップＳ３１４において、ＣＰＵは、ステップＳ３１３で受信が確認された携帯ＩＤを会員管理装置２へ向けて送信させた後、ステップＳ３１４で送信した携帯ＩＤに対応する会員に関する登録状態を会員管理装置２から受信したか否かの判定を行う（ステップＳ３１５）。
【００９６】
このステップＳ３１５において、ＣＰＵは、会員登録状態を受信したと判定した場合に（ステップＳ３１５：Ｙｅｓ）、処理をステップＳ３１６へ移す。一方、ＣＰＵは、会員登録状態を受信していないと判定した場合（ステップＳ３１５：Ｎｏ）、登録状態を受信するまで、ステップＳ３１５の判定処理を繰り返す。
【００９７】
ステップＳ３１６において、ＣＰＵは、ステップＳ３１５で受信が確認された登録状態から、ステップＳ３１４で送信した携帯ＩＤに対応する会員が会員登録済みであるか否かの判定を行い、会員登録済みであると判定した場合に（ステップＳ３１６：Ｙｅｓ）、処理を終了する。一方、ＣＰＵは、会員登録済みでないと判定した場合（ステップＳ３１６：Ｎｏ）、処理をステップＳ３１７へ移す。
【００９８】
ステップＳ３１７において、ＣＰＵは、会員登録が済んでいないことと、今回会員登録をした場合に特典を受けることができることを示す会員登録特典表示を表示部１３に表示させた後、処理をステップＳ３１８へ移す。
【００９９】
ステップＳ３１８において、ＣＰＵは、確認ボタン１２２による確認操作があったか否かの判定を行い、確認操作があったと判定した場合に（ステップＳ３１８：Ｙｅｓ）、表示部１３による画像表示を終了させて処理を終了する。一方、ＣＰＵは、確認操作がないと判定した場合（ステップＳ３１８：Ｎｏ）、確認操作があるまでステップＳ３１８の判定処理を繰り返す。
【０１００】
次に、本変形例に係る会員管理装置２のＣＰＵ（以下、単に「ＣＰＵ」という。）が実行する処理について説明する。図９は、本変形例にかかる会員管理装置２で実行される処理を示すフローチャートである。ＣＰＵは、会員管理装置２に電源が投入されると図９に示す処理を開始し、この処理が終了すると、再度ステップＳ４０１から処理を開始する。なお、ここでは、携帯会員登録に関する処理について説明することとし、それ以外の処理については説明を省略する。
【０１０１】
会員管理装置２に電源が投入されると、ＣＰＵは、図９に示すように、まず、ＣＲユニット１から会員ＩＤを受信したか否かの判定を行い（ステップＳ４０１）、会員ＩＤを受信したと判定した場合に（ステップＳ４０１：Ｙｅｓ）、処理をステップＳ４０２へ移す。一方、ＣＰＵは、会員ＩＤを受信しなかったと判定した場合（ステップＳ４０１：Ｎｏ）、処理をステップＳ４０６へ移す。
【０１０２】
ステップＳ４０２において、ＣＰＵは、ステップＳ４０１で受信が確認された会員ＩＤに対応する会員情報を検索し、その会員ＩＤに対応する会員の登録状態をＣＲユニット１へ向けて送信させる。このとき、ＣＰＵは、受信した会員ＩＤに対応する会員情報管理テーブル２１２の携帯ＩＤの欄（記憶領域）に、他の携帯ＩＤが登録されているか否かを示す情報を送信し、その後、処理をステップＳ４０３へ移す。
【０１０３】
ステップＳ４０３において、ＣＰＵは、ＣＲユニット１から携帯ＩＤを受信したか否かの判定を行い、携帯ＩＤを受信したと判定した場合に（ステップＳ４０３：Ｙｅｓ）、処理をステップＳ４０４へ移す。一方、ＣＰＵは、携帯ＩＤを受信しなかったと判定した場合（ステップＳ４０３：Ｎｏ）、所定時間が経過したか否かの判定を行う（ステップＳ４０８）。
【０１０４】
そして、ＣＰＵは、所定時間が経過していないと判定した場合に（ステップＳ４０８：Ｎｏ）、処理をステップＳ４０３へ移す。一方、ＣＰＵは、所定時間が経過したと判定した場合（ステップＳ４０８：Ｙｅｓ）、処理を終了する。
【０１０５】
ステップＳ４０４において、ＣＰＵは、ステップＳ４０３で受信が確認された携帯ＩＤをステップＳ４０１で受信が確認された会員ＩＤに対応する会員情報管理テーブル２１２の携帯ＩＤの欄（記憶領域）に記憶させて携帯会員登録を行い、その後、処理をステップＳ４０５へ移す。このとき、ＣＰＵは、携帯ＩＤの欄（記憶領域）に他の携帯ＩＤが記憶されていなかった場合、ステップＳ４０１で受信が確認された会員ＩＤに対応する会員情報の貯玉に、貯玉を５０個加算する処理を行う。そして、ステップＳ４０５において、ＣＰＵは、ステップＳ４０４で行った携帯会員登録の結果を示す携帯会員登録結果をＣＲユニット１へ向けて送信させ、その後、処理を終了する。
【０１０６】
また、ステップＳ４０６において、ＣＰＵは、ＣＲユニット１から携帯ＩＤを受信したか否かの判定を行い、携帯ＩＤを受信したと判定した場合に（ステップＳ４０６：Ｙｅｓ）、処理をステップＳ４０７へ移す。一方、ＣＰＵは、携帯ＩＤを受信しなかったと判定した場合（ステップＳ４０６：Ｎｏ）、処理を終了する。
【０１０７】
そして、ステップＳ４０７において、ＣＰＵは、ステップＳ４０６で受信が確認された携帯ＩＤに対応する会員の会員情報を検索し、その携帯ＩＤに対応する会員の登録状態をＣＲユニット１へ向けて送信させる。このとき、ＣＰＵは、受信した携帯ＩＤに対応する会員情報管理テーブル２１２の会員ＩＤの欄（記憶領域）に、既に会員ＩＤが登録されているか否かを示す情報を送信し、その後、処理を終了する。
【０１０８】
本実施形態の会員管理システムＳにより会員登録が完了した場合に、会員は、会員カードＣに記録されている情報をカード用リーダ／ライタ１０に読取らせ、その後、操作部１２を操作して固有の暗証番号を入力することで、貯玉しているパチンコ玉での再遊技（再プレイ）が可能となる。
【０１０９】
また、携帯会員登録が完了した場合に、会員は、携帯電話ＫをＩＣチップ用リーダ／ライタ１１にかざして、携帯電話ＫのＩＣチップに関する情報を読取らせ、その後、操作部１２を操作して固有の暗証番号を入力することで、貯玉しているパチンコ玉での再遊技（再プレイ）が可能となる。
【０１１０】
このように、本変形例に係る会員管理システムＳでは、会員登録済みで携帯会員登録が済んでいない会員がＣＲユニット１のカード用リーダ／ライタ１０に会員カードＣを挿入した場合に、表示部１３に携帯会員登録が済んでいないことと、携帯会員登録を行うことで受けることができる特典とを表示して報知するため、その会員に対して効果的に携帯会員登録を促すことができる。
【０１１１】
また、この変形例に係る会員管理システムＳでは、携帯会員登録済みで会員登録が済んでいない会員が携帯ＩＤをＣＲユニット１のＩＣチップ用リーダ／ライタ１１に読取らせた場合に、表示部１３に会員登録が済んでいないことを表示して報知することができるので、その会員に対して効果的に会員登録を促すことができる。
【０１１２】
また、この会員管理システムＳによれば、既に携帯ＩＤが登録されている場合であっても、会員がＣＲユニット１に会員カードＣを挿入した状態で、携帯会員登録ボタン１２１を操作して別の携帯電話Ｋの携帯ＩＤをＣＲユニット１に読取らせることにより、その携帯ＩＤを会員情報管理テーブル２１２に登録することができるので、たとえば、携帯会員登録済みの会員が携帯電話Ｋの機種を変更した場合に、その会員は、ホールカウンタ等で面倒な機種変更手続きを行うことなく、遊技中のパチンコ台Ｐに併設されたＣＲユニット１で簡単に機種変更手続きを行うことができる。
【０１１３】
さらに、この会員管理システムＳによれば、既に携帯会員登録を行っている会員が、２台目の携帯電話Ｋを登録することもできる。
【０１１４】
なお、以上説明した本実施形態は、本発明の一実施形態を示したに過ぎず、本発明は、特許請求の範囲に記載した技術思想の範囲において、種々の変形が可能である。たとえば、上記した会員ＩＤと携帯ＩＤとは別に第３の会員識別情報として会員番号を別途設けてもよい。
【０１１５】
携帯ＩＤを登録可能な端末は、ＣＲユニット１だけでなく、会員情報（例えば、貯玉数やポイント数等）を確認可能な会員情報端末、会員カードを挿入可能な計数機、景品カウンター等で貯玉する際に会員カードを挿入する会員端末等、会員カードを用いる装置であれば、どれにでも適用可能である。
【０１１６】
また、上記した実施形態では、第２の会員記録媒体として携帯電話Ｋを例に説明したが、第２の会員記録媒体は、一般に使用されているＩＣカードや、その他ＩＣチップが内蔵されているものであれば何でもよい。
【符号の説明】
【０１１７】
Ｓ  会員管理システム
Ｐ  パチンコ台
Ｃ  会員カード
Ｋ  携帯電話
１  ＣＲユニット
１０  カード用リーダ／ライタ
１１  ＩＣチップ用リーダ／ライタ
１２  操作部
１２１  携帯会員登録ボタン
１２２  確認ボタン
１３  表示部
１６  送信部
１７  受信部
２  会員管理装置
２１  記憶部
２１２  会員情報管理テーブル
２２  受信部
２３  送信部
２４  会員情報管理部
３  コンソール
４  精算機
５  券売機
６  島コントローラ
７  計数機
８  会員カード端末
９  再プレイ玉貸機
【図１】
2010201080.tif 000003
【図２】
2010201080.tif 000004
【図３】
2010201080.tif 000005
【図４】
2010201080.tif 000006
【図５】
2010201080.tif 000007
【図６】
2010201080.tif 000008
【図７】
2010201080.tif 000009
【図８】
2010201080.tif 000010
【図９】
2010201080.tif 000011